(57)【特許請求の範囲】
【請求項１】
対をなす把持片が連結されて互いの把持片の先端部が接近離反する把持部と、前記把持部を操作する操作部と、前記把持部と前記操作部とを離して支持すると共に操作部を介して入力された操作力を把持部に伝達する支持伝達部と、把持部の設定角度を調整する角度調整部とを備える間接活線用工具において、
前記角度調整部は、
筒状のピン受け部と、
このピン受け部に挿入されるピン部及びこのピン部の一端に形成されたフランジ部を有する角度調整ピンと、
前記ピン受け部に収容されて前記ピン部を前記フランジ部とは反対側へ付勢する弾性部材と、
前記ピン受け部に挿入されたピン部が前記弾性部材により付勢されて選択的に係合される被調整部材に形成された複数の係合凹部と、
を有して構成され、
前記ピン受け部の外側に筒状のローラ部材を回転可能に外装し、
前記角度調整ピンの前記ピン部と前記ピン受け部との間に、前記ピン部がいずれかの前記係合凹部に係合した状態で前記角度調整ピンの軸方向への変位を規制可能とする係止機構を設けたことを特徴とする間接活線用工具。
【請求項２】
前記対をなす把持片は、固定把持片と、この固定把持片に対して相対的に回動する可動把持片とから構成され、前記支持伝達部は、前記把持部と前記操作部とを離して支持させる主操作棒と、前記操作部を介して入力された操作力を前記把持部に伝達する補助操作棒とから構成され、
前記角度調整部は、前記固定把持片の基端部を前記主操作棒の端部に設けられた固定部材に角度調整可能に連結させる第１の角度調整部と、前記可動把持片の基端部に連結された調整棒を前記補助操作棒の端部に軸方向位置を調整可能に連結させる第２の角度調整部とにより構成され、
前記第１の角度調整部は、前記ピン受け部が前記固定部材に形成され、前記係合凹部が前記被調整部材としての前記固定把持片に形成され、
前記第２の角度調整部は、前記ピン受け部が前記補助操作棒に形成され、前記係合凹部が前記被調整部材としての前記調整棒に形成されることを特徴とする請求項１記載の間接活線用工具。
【請求項３】
前記係止機構は、前記ピン部と一体に変位し、前記ピン部の径方向へ突設された突起部と、前記ピン受け部の側面に形成され、前記突起部が摺動可能に係止される係止孔とから構成されることを特徴とする請求項１又は２記載の間接活線用工具。
【請求項４】
前記係止孔は、前記ピン受け部の軸方向に延設された軸孔と、この軸孔に連通し、前記ピン受け部の周方向に延設された周孔とを備え、
前記角度調整ピンは、前記ピン部が前記係合凹部に係合された状態で前記突起部を前記係止孔の前記周孔に位置させることで、前記ピン受け部の軸方向への変位が規制されることを特徴とする請求項３記載の間接活線用工具。
【請求項５】
前記角度調整ピンの前記フランジ部は、前記ローラ部材の外周面から当該フランジ部の外縁までの寸法が電線の半径よりも大きく形成されること特徴とする請求項１乃至４のいずれかに記載の間接活線用工具。
【発明の詳細な説明】
【技術分野】
【０００１】
本発明は、電線のクセ直し等の作業を行うことが可能な間接活線用工具に関する。
【背景技術】
【０００２】
電線の湾曲等のクセ直しや湾曲させるクセ付け等の作業には、電線ベンダー装置が用いられている。電線ベンダー装置は、操作棒の先端に複数の突起が形成され、この突起に電線を引っ掛けて荷重をかけることで、電線のクセ直し等を行うもので、電線に係合する一対の係合部を備えた短尺に形成された第１棒状部材と、第１棒状部材を先端側に連結される長尺に形成された第２棒状部材と、これら第１、第２棒状部材による挟角を任意の角度に設定する角度設定部材とを備えるものや（特許文献１参照）、絶縁操作棒の先端に取り付けられる略Ｉ字形状に形成された第１支持部材と、この第１支持部材に連結される略逆三角形に形成された第２支持部材を備えて構成し、第1の支持部材を、雄ネジが形成された長尺部、この長尺部の上端に同軸回転自在に連結されて一対のピンが立設された短尺部、および、長尺部の下端に固設されて絶縁操作棒を取り付けるジョイントを有して構成し、第２の支持部材を、長尺部の雄ネジに螺合する雌ネジが形成されるとともに一対のピンを上辺部の左右側に立設させて構成するものが知られている（特許文献２参照）。また、先端部材に形成される突起を十字状に交差するように設けた電線ベンダーも知られている（特許文献３参照）。
【先行技術文献】
【特許文献】
【０００３】
【特許文献１】特許第４２２０９５４号公報
【特許文献２】特許第４４５６９８１号公報
【特許文献３】実開平３−３１１２号公報
【発明の概要】
【発明が解決しようとする課題】
【０００４】
しかしながら、間接活線作業で高圧引下線に触れる作業においては、絶縁ヤットコで代表される間接活線用工具を用いて作業をすることが多く、電線のクセ直し等の作業を行う場合には、間接活線用工具から電線ベンダー装置に持ち替えて行わなければならず、持ち替えるのに手間を要し、また、作業に必要な工具数が増加する不都合がある。
【０００５】
このため、電線ベンダー装置を使用せずにクセ直し等の作業を行う方法として、使用頻度の多い絶縁ヤットコのような間接活線用工具を電線ベンダーとして代用することも考えられるが、このような間接活線用工具は、電線ベンダーのように電線を係合させる専用の係合突起は設けられていない。
一般的な絶縁ヤットコは、被把持物を把持する対をなす把持部と、その把持部を操作する操作部と、把持部の設定角度を調整する角度調整部とを備えており、角度調整部が、筒状のピン受け部と、このピン受け部に挿入されるピン部及びこのピン部の一端に形成されたフランジ部を有する角度調整ピンと、ピン受け部に収容されてピン部をフランジ部の側とは反対側へ付勢する弾性体と、ピン受け部に挿入されたピン部が弾性体（バネ）により付勢されて選択的に係合される複数の係合凹部とを有し、角度調整ピンを弾性体の付勢力によって係合凹部に係合させることで把持部の設定角度を固定し、角度調整ピンを弾性体の不勢力に抗して引き上げ、ピン部を係合凹部から外すことで把持部の角度調整を可能とする構成になっている。
【０００６】
このような間接活性用工具を電線ベンダー装置として代用する場合には、電線の側面をピン受け部の側面に当接させるようにして用いることになるが、角度調整ピンは弾性体（バネ）の弾性力を利用して凹部に嵌入されているだけであるため、クセ直し時の力が電線を介して角度調整ピンに加わると、角度調整ピンが係合凹部から外れて把持部の角度が急にずれてしまう恐れがあり、クセ直し等の作業がやりにくく、また、把持部の角度がずれる都度、角度調整をし直す必要がある。
【０００７】
本発明は、かかる事情に鑑みてなされたものであり、電線のクセ直し等の作業を行う場合に、電線ベンダー装置に持ち替えることなく作業を確実に行うことができ、電線ベンダー装置として兼用するが可能な間接活線用工具を提供することを主たる課題としている。
【課題を解決するための手段】
【０００８】
上記課題を達成するために、本発明に係る間接活線用工具は、対をなす把持片が連結されて互いの把持片の先端部が接近離反する把持部と、前記把持部を操作する操作部と、前記把持部と前記操作部とを離して支持すると共に操作部を介して入力された操作力を把持部に伝達する支持伝達部と、把持部の設定角度を調整する角度調整部とを備え、前記角度調整部は、筒状のピン受け部と、このピン受け部に挿入されるピン部及びこのピン部の一端に形成されたフランジ部を有する角度調整ピンと、前記ピン受け部に収容されて前記ピン部を前記フランジ部とは反対側へ付勢する弾性部材と、前記ピン受け部に挿入されたピン部が前記弾性部材により付勢されて選択的に係合される被調整部材に形成された複数の係合凹部と、を有して構成され、前記ピン受け部の外側に筒状のローラ部材を回転可能に外装し、前記角度調整ピンの前記ピン部と前記ピン受け部との間に、前記ピン部がいずれかの前記係合凹部に係合した状態で前記角度調整ピンの軸方向への変位を規制可能とする係止機構を設けたことを特徴としている。
【０００９】
したがって、角度調整部には、角度調整ピンの外側にローラ部材が外装されているので、ここにあてがわれた電線を動かし易くなり、また、角度調整ピンのピン部とピン受け部との間に係止機構が設けられているので、電線を角度調整部に引っ掛けた場合でも、角度調整ピンのピン部が電線から受ける力により係合凹部から外れてしまうことがなくなり、電線のクセ直し等の作業中に把持部の角度が急に変更されてしまうことがなくなる。このため、電線のクセ直し等の作業を行う場合に、間接活線用工具から電線ベンダー装置に持ち替えることが不要となり、持参する工具数を減らすことができると共に作業効率を高めることが可能となる。
【００１０】
ここで、対をなす把持片は、固定把持片と、この固定把持片に対して相対的に回動する可動把持片とから構成され、前記支持伝達部は、前記把持部と前記操作部とを離して支持させる主操作棒と、前記操作部を介して入力された操作力を前記把持部に伝達する補助操作棒とから構成され、前記角度調整部は、前記固定把持片の基端部を前記主操作棒の端部に設けられた固定部材に角度調整可能に連結させる第１の角度調整部と、前記可動把持片の基端部に連結された調整棒を前記補助操作棒の端部に軸方向位置を調整可能に連結させる第２の角度調整部とにより構成され、前記第1の角度調整部は、前記ピン受け部が前記固定部材に形成され、前記係合凹部が前記被調整部材としての前記固定把持片に形成され、前記第２の角度調整部は、前記ピン受け部が前記補助操作棒に形成され、前記係合凹部が前記被調整部材としての前記調整棒に形成される構成としてもよい。
【００１１】
ここで、係止機構は、ピン部と一体に変位し、ピン部の径方向へ突設された突起部と、ピン受け部の側面に形成され、突起部が摺動可能に係止される係止孔とから構成されるようにしてもよい。
また、係止孔は、前記ピン受け部の軸方向に延設された軸孔と、この軸孔に連通し、前記ピン受け部の周方向に延設された周孔とを備え、前記角度調整ピンは、前記ピン部が前記係合凹部に係合された状態で前記突起部を前記係止孔の前記周孔に位置させることで、前記ピン受け部の軸方向への変位を規制するようにしてもよい。
【００１２】
さらに、ローラ部材に引っ掛けた電線の脱落を抑えるために、角度調整ピンの前記フランジ部は、前記ローラ部材の外周面からフランジ部の外縁までの寸法を電線の半径よりも大きく形成することが好ましい。
【発明の効果】
【００１３】
以上述べたように、本発明に係る間接活線用工具によれば、対をなす把持部の角度を調整する角度調整部において、ピン受け部の外側に筒状のローラ部材を回転可能に設け、角度調整ピンのピン部とピン受け部との間に角度調整ピンの軸方向への変位を規制可能とする係止機構を設けるようにしたので、電線をローラ部材に引っ掛けてクセ直し等の作業を行う場合でも、電線をスムーズに移動させることができると共に電線に力をかけても角度調整ピンのピン部が係合凹部から外れて把持部の角度が急変する不都合を避けることが可能となる。
このため、間接活性用工具を電線ベンダー装置として用いる場合でも、電線のクセ直し等の作業を確実に行うことが可能となり、間接活線用工具を専用のベンダー装置に持ち替えてクセ直し等の作業を行うことが不要となるので、現地に持参する工具数を減らすことが可能となり、また、効率よく作業を行え、作業時間の短縮を図ることが可能となる。
【００１４】
特に、絶縁ヤットコを電線ベンダー装置として用いる場合には、前記対をなす把持片を、固定把持片と、この固定把持片に対して相対的に回動する可動把持片とで構成し、前記支持伝達部を、把持部と操作部とを離して支持させる主操作棒と、操作部を介して入力された操作力を把持部に伝達する補助操作棒とから構成し、角度調整部を、固定把持片の基端部を主操作棒の端部に設けられた固定部材に角度調整可能に連結させる第１の角度調整部と、可動把持片の基端部に連結された調整棒を補助操作棒の端部に軸方向位置を調整可能に連結させる第２の角度調整部とにより構成し、第1の角度調整部において、ピン受け部を固定部材に形成し、係合凹部を固定把持片に形成する構成とし、第２の角度調整部において、ピン受け部を補助操作棒に形成し、係合凹部を調整棒に形成する構成とすることで、使用頻度の高い絶縁ヤットコを電線ベンダー装置として用いることが可能となり、既存の絶縁ヤットコの改良で対応することが可能となる。
【００１５】
尚、係止機構の係止孔を、ピン受け部の軸方向に延設された軸孔と、この軸孔に連通し、ピン受け部の周方向に延設された周孔とを備えて構成し、ピン部が係合凹部に係合された状態でピン部と一体に変位する突起部を係止孔の周孔に位置させることで、角度調整ピンの軸方向への変位を規制する構成すれば、ピン部が係合凹部に係合した状態でフランジ部を回せば角度調整ピンの軸方向への変位が規制されることとなり、簡易な構成で角度調整ピンにロックを掛けることが可能となる。
【００１６】
また、角度調整ピンのフランジ部において、ローラ部材の外周面から当該フランジ部の外縁までの距離を電線の半径よりも大きく形成することで、ローラ部材に電線を引っ掛けてくせ直し等の作業を行う場合でも、電線がローラ部材から外れることを低減することが可能となる。
【図面の簡単な説明】
【００１７】
【図１】図１は、間接活線用工具（絶縁ヤットコ）の側面図である。
【図２】図２は、間接活線用工具の先端部（把持部と角度調整部）を示す図であり、（ａ）はその正面図であり、（ｂ）はその側面図であり、（ｃ）はその斜視図である。
【図３】図３は、角度調整部（第１の角度調整部、第２の角度調整部）を示す分解斜視図である。
【図４】図４は、角度調整部の機構を説明した拡大図であり、（ａ）は、角度調整ピンのピン部が弾性部材（バネ）の付勢力で係合凹部に係合されている状態を示し、（ｂ）は、角度調整ピンのピン部を弾性部材（バネ）の付勢力に抗して係合凹部から外した状態を示す図である。
【図５】図５は、２つの角度調整部を利用した電線のクセ直しの作業を示す説明図である。
【図６】図６は、１つの角度調整部を利用した電線のクセ直しの作業を示す説明図である。
【発明を実施するための形態】
【００１８】
以下、本発明の間接活線用工具ついて添付図面を参照して説明する。
【００１９】
本発明の間接活線用工具１は、図１及び図２に示すように、各種部品等の被把持物を掴む把持部２と、この把持部２を操作する操作部３と、把持部２と操作部３とを主操作棒４ａを介して所定の間隔に離して配置させると共に、操作部３を介して作業者により入力された操作力を補助操作棒４ｂを介して把持部２に伝達する支持伝達部４と、把持部２の設定角度を調整する角度調整部５とを有して構成されている。
【００２０】
把持部２は、半楕円形状に湾曲形成された対をなす把持片（固定把持片２ａ、可動把持片２ｂ）により構成され、それぞれの把持片２ａ，２ｂは、基端側が回動軸６を介して回動可能に連結されており、一方の把持片は、その基端部が主操作棒４ａの先端に固定された固定部材７を介して角度調整可能に固定された固定把持片２ａを構成し、他方の把持片は、その基端部が補助操作棒４ｂの先端部に長さ調整可能に固定された調整棒８を介して連結されると共に、固定部材７に配された前記回動軸６を中心に回動自在に軸支された可動把持片２ｂを構成している。したがって、これら把持片（固定把持片２ａ、可動把持片２ｂ）は、回動軸６を中心に相対的に回動して互いの先端部を接近離反させ（可動把持片２ｂの先端部を固定把持片２ａの先端部に対し接近離反させ）、把持片間に画成される空間や各把持片の先端部間に被把持物を把持して掴むことができるようになっている。
【００２１】
操作部３は、支持伝達部４の主操作棒４ａの基端側に取り付けられる取付具３ａと、この取付具３ａに設けられた回動軸９に一端が回動自在に軸支された把持レバー３ｂと、この把持レバー３ｂの回動中心と同軸になるように取付具３ａに一端側が回動自在に軸支されると共に他端側が回動軸１０を介して相対回転可能に補助操作棒４ｂの基端部に連結された連結レバー３ｃと、取付具３ａの回動軸９に配されて把持レバー３ｂの回動を連結レバー３ｃに伝達すると共に把持レバー３ｂを回動軸９を中心として主操作棒４ａから離反させる方向へ付勢し、また、補助操作棒４ｂを把持部２側へ付勢する図示しないバネ部材とにより構成されている。
【００２２】
したがって、作業者が支持伝達部４の主操作棒４ａを掴んで支持しつつ、操作部３の把持レバー３ｂを回動軸９を中心に主操作棒４ａに近接させるように回動させると、補助操作棒４ｂが図中の下方へ引かれて可動把持片２ｂが固定把持片２ａに近接するように回動され、可動把持片２ｂと固定把持片２ａとで被把持物を把持することが可能となる。また、作業者が把持レバー３ｂの把持力を緩めると、把持レバー３ｂが主操作棒４ａから離反するように回動すると共に、補助操作棒４ｂが図中上方へ押されるように付勢されて、可動把持片２ｂの先端部が固定把持片２ａの先端部から離反する方向に回動することとなる。
【００２３】
前記固定把持片２ａの回動軸６よりも基端縁部には、回動軸６を中心とする円周上に間隔を空けて複数の係合凹部１１が形成されている。これに対して、固定部材７には、回動軸６と係合凹部１１との距離に合わせて回動軸６からずらした位置にスナップフィット式の角度調整ピン１２が設けられている。
【００２４】
また、可動把持片２ｂの基端部に連結されて、補助操作棒４ｂの先端部に設けられた調整棒８にも軸方向で間隔を空けて複数の係合凹部１３が形成されている。これに対して、補助操作棒４ｂの先端近傍には、係合凹部１３の位置に合わせてスナップフィット式の角度調整ピン１４が設けられている。
【００２５】
固定部材７および補助操作棒４ｂに設けられた角度調整ピン１２，１４は、図３及び図４に示されるように、固定部材７又は補助操作棒４ｂに設けられる筒状のピン受け部２０に取り付けられている。
【００２６】
固定部材７および補助操作棒４ｂに設けられるピン受け部２０は、把持片２ａ，２ｂの回動面に対して垂直方向に突設されているもので、一端にピン挿通孔２１が形成された壁部２０ａを有し、他端が開放されて内部に収容空間が形成された円筒状をなし、固定部材７又は補助操作棒４ｂに設けられた通孔２２と整合する位置に開放端側が溶接、螺合等の手段で固定されている。角度調整ピン１２，１４は、前記ピン挿通孔２１を介してピン受け部２０の内側の収容空間に挿入されるピン部１２ａ（１４ａ）と、このピン部１２ａ（１４ａ）の一端に形成されたフランジ部１２ｂ（１４ｂ）とを有して構成され、ピン受け部２０に挿入されたピン部１２ａには、このピン部を圧入すること等により所定位置に外装固定されてピン部１２ａと共に一体に変位する環状部材２３が取り付けられ、この環状部材２３とピン受け部２０の壁部２０ａとの間に圧縮バネからなる弾性部材２４が弾装されている。
【００２７】
したがって、角度調整ピン１２，１４は、弾性部材２４の復元力（バネ力）によりピン部１２ａ，１４ａが常時フランジ部側と反対側へ付勢されており、ピン部１２ａ，１４ａは、固定部材７又は補助操作棒４ｂに設けられた通孔２２を挿通し、固定把持片２ａ又は調整棒８に設けられたいずれかの係合凹部１３に係合されるようになっている。
【００２８】
これにより、角度調整ピン１２を固定把持片２ａに形成された係合凹部１１のいずれかに選択的に係合し、また、角度調整ピン１４を調整棒８に形成された係合凹部１３のいずれかに選択的に係合すること把持部２の設定角度を所望の角度に調整することが可能となる。
【００２９】
上述した固定部材７に形成されたピン受け部２０、角度調整ピン１２、弾性部材２４、固定把持片２ａに形成された複数の係合凹部１１によって、固定把持片２ａの主操作棒４ａに対する設定角度を調整する第１の角度調整部５１が構成され、補助操作棒４ｂの先端部に形成されたピン受け部２０、角度調整ピン１４、弾性部材２４、調整棒８に形成された複数の係合凹部１３によって、調整棒８の補助操作棒４ｂからの突出量を調整することによって可動把持片２ｂの主操作棒４ａに対する設定角度を調整する第２の角度調整部５２が構成されている。
【００３０】
ところで、それぞれの角度調整部５（第１の角度調整部５１、第２の角度調整部５２）のピン受け部２０の外側には、樹脂等で形成された筒状のローラ部材２５が回転可能に外装されている。前記角度調整ピン１２，１４のフランジ部１２ｂ、１４ｂは、このローラ部材２５よりも大きな径に形成されており、この例では、ローラ部材２５の外周面からフランジ部１２ｂ、１４ｂの外縁までの寸法Ａが電線４０の半径Ｂよりも大きく形成されている。
【００３１】
また、角度調整ピン１２，１４のピン部１２ａ，１４ａに外装された環状部材２３の側面には、径方向外側に向けて突出した突起部２６が設けられ、ピン受け部２０の側面には、突起部２６が摺動可能に係止する係止孔２７が形成されている。
この係止孔２７は、ピン受け部２０の軸方向に延設された軸孔２７ａと、この軸孔２７ａに連通し、ピン受け部２０の周方向に延設された周孔２７ｂとにより構成されて全体がＬ字状に形成されているもので、角度調整ピン１２，１４のピン部１２ａ，１４ａが通孔２２から突出していずれかの係合凹部１１，１３に係合された場合に、環状部材に形成された突起部２６が係止孔２７の軸孔２７ａと周孔２７ｂとの交点に位置するように設定されている。
この環状部材２３に形成されたピン部１２ａ，１４ａと一体に変位する突起部２６と、ピン受け部２０に形成された係止孔２７とにより、角度調整ピン１２，１４の軸方向への変位を規制可能とする係止機構が構成されている。
【００３２】
したがって、角度調整ピン１２，１４は、図４（ａ）に示されるように、ピン部１２ａ，１４ａが係合凹部１１，１３に係合された状態で回動させて前記突起部２６を係止孔２７の周孔２７ｂに位置させることで、ピン受け部２０の軸方向への変位が規制されることとなる。また、この状態から係止機構による係止を解除して把持部２の角度を再調整する場合には、角度調整ピン１２，１４を回動させて突起部２６を係止孔２７の周孔２７ｂと軸孔２７ａの交点まで移動させた後に、図４（ｂ）に示されるように、角度調整ピン１２，１４のフランジ部１２ｂ，１４ｂを弾性部材２４の弾性力に抗して引き上げればよく、これにより、突起部２６は軸孔２７ａの先端側へ移動するので、ピン部１２ａ，１４ａが係合凹部１１，１３から外され、角度調整が可能となる（固定把持片２ａ、調整棒８の変位が可能となる）。
【００３３】
以上の構成の間接活線用工具１を用いて電線のクセ直しを行う場合には、次のような作業を行う。
即ち、第１の角度調整部５１と第２の角度調整部５２とを用いて電線のクセ直しを行う場合には、図５に示すように、電線４０を固定部材７に設けられた第１の角度調整部５１のローラ部材２５に引っ掛けた後に、補助操作棒４ｂの先端部に設けられた第２の角度調整部５２のローラ部材２５に引っ掛け、間接活線用工具１を自身の重さを電線４０に乗せながら上下に滑らすように移動させてクセ直しを行う。
また、１箇所の角度調整部５（第１の角度調整部５１）で電線４０のクセ直しを行ってもよく、例えば、図６に示すように、第1の角度調整部５１のローラ部材２５に電線４０を引っ掛けて間接活線用工具１を左右に滑らすように動かしてクセ直しを行う。
【００３４】
以上の作業において、各角度調整部５１，５２は、係止機構により軸方向の移動が規制されているので、電線４０を引っ掛けた場合でも電線４０から受ける力によって角度調整ピン１２，１４のピン部１２ａ，１４ａが係合凹部１１，１３から外れることが防止される。このため、クセ直し等の作業を行う場合に間接活線用工具１をそのまま利用して行うことができるので、専用のベンダー装置を用いる必要がなく、作業効率を高めて作業時間の短縮を図ることが可能となる。
【００３５】
また、ローラ部材２５は、ピン受け部２０に回転自在に取り付けられているので、ローラ部材２５が電線４０との摩擦抵抗を減らすように作用するのでスムーズにクセ直しをすることが可能となる。
さらに、角度調整ピン１２，１４のフランジ部１２ｂ、１４ｂは、ローラ部材２５の外周面から周縁までの寸法が電線４０の半径よりも大きく形成されているので、ローラ部材２５に引っ掛けた電線４０が作業中に角度調整部５１，５２から外れることがなくなる。
【符号の説明】
【００３６】
１  間接活線用工具
２  把持部
２ａ  固定把持片
２ｂ  可動把持片
３  操作部
４  支持伝達部
４ａ  主操作棒
４ｂ  補助操作棒
５  角度調整部
８  調整棒
１１，１３  係合凹部
１２，１４  角度調整ピン
１２ａ，１４ｂ  ピン部
１２ｂ，１４ｂ  フランジ部
２０  ピン受け部
２４  弾性部材
２５  ローラ部材
２６  突起部
２７  係止孔
２７ａ  軸孔
２７ｂ  周孔
４０  電線
５１  第1の角度調整部
５２  第２の角度調整部
【図１】
0005795183.tif 000002
【図２】
0005795183.tif 000003
【図３】
0005795183.tif 000004
【図４】
0005795183.tif 000005
【図５】
0005795183.tif 000006
【図６】
0005795183.tif 000007